(57)【特許請求の範囲】
【請求項１】
少なくとも表面用生地と裏面用生地とから成る包袋状の布地と、該布地に包含されたクッション材とから構成される布団において、前記クッション材が２層以上に形成され、１層以上のクッション材が一の面を前記表面用生地に面接させて該表面用生地に固定され、他の１層以上のクッション材が一の面を前記裏面用生地に面接させて該裏面用生地に固定され、前記１層以上のクッション材の他の面と、前記他の１層以上のクッション材の他の面とが面接し、前記クッション材が綿からなることを特徴とする布団。
【請求項２】
前記表面用生地と前記裏面用生地とが襠を介して接続され、該襠によって側面が形成されたことを特徴とする請求項１に記載する布団。
【請求項３】
前記布地の周辺の所定位置に開閉具を備えたことを特徴とする請求項１または２に記載する布団。
【請求項４】
請求項１から３のいずれかに記載の布団の製造方法であって、表面用生地の一方の面及び裏面用生地の一方の面に、各々少なくとも１層以上の前記クッション材を固定し、該表面用生地の他方の面と該裏面用生地の他方の面とを合わせ、外周に沿って縫合し、所定位置に設けられた開口部内へ布地全体を入れて折り返して形成することを特徴とする布団の製造方法。
【請求項５】
前記表面用生地及び前記裏面用生地を一体に形成しておき、該表面用生地と該裏面用生地との境界部付近で折ることにより、該表面用生地の他方の綿と該裏面用生地の他方の面とを合わせることを特徴とする請求項４に記載する布団の製造方法。
【請求項６】
前記表面用生地と裏面用生地との境界部、及び、該表面用生地又は該裏面用生地の周囲に襠を設けておき、該襠によって布団の側面を形成することを特徴とする請求項４又は請求項５に記載する布団の製造方法。
【請求項７】
前記開口部に開閉具を取り付けることを特徴とする請求項４乃至請求項６のいずれかに記載する布団の製造方法。
【発明の詳細な説明】
【０００１】
【発明の属する技術分野】
本発明は、寝るため又は座るための布団、及び布団の製造方法に関する。
【０００２】
【発明が解決しようとする課題】
従来から、種々の布団が製造され、使用されている。この布団は、表面用生地と裏面用生地とから成る包袋状の布地と、布地に包含されたクッション材とから構成されており、通常は、布地に綿や羽毛等のクッション材が包含されたものが使用されている。
【０００３】
一方、このような布団について、湿気の除去又は保温性の向上等の観点から、改良を加えた布団が案出されている。例えば、特開平６−７０８３３において、図６に示すような布団１が開示されている。この布団１は、布団皮２内に詰め物層３及び４を包含したものである。なお、詰め物層３及び４の詰め物としては、ウサギの毛等が使用される。また、実用新案登録第３０１３５９４号において、図７に示すような布団５が開示されている。この布団５は、表地６と裏地７とが接合されて接合部がヘムテープ８で覆われ、中に２個の内袋９が包含されている。なお、内袋９には布団わたが包含されている。
【０００４】
しかし、このような布団１又は５によっても、詰め物層３及び４又は内袋９が袋状に構成されているため、詰め物や布団わたの湿気を除去する点で、充分ではないと考えられる。また、保温性を更に高めることが好ましい。
【０００５】
そこで、本発明者は、このような課題を解決するべく鋭意研究した結果、本発明に到達した。
【０００６】
【課題を解決するための手段】
本発明に係る布団の要旨とするところは、少なくとも表面用生地と裏面用生地とから成る包袋状の布地と、該布地に包含されたクッション材とから構成される布団において、前記クッション材が２層以上に形成され、１層以上のクッション材が一の面を前記表面用生地に面接させて該表面用生地に固定され、他の１層以上のクッション材が一の面を前記裏面用生地に面接させて該裏面用生地に固定され、前記１層以上のクッション材の他の面と、前記他の１層以上のクッション材の他の面とが面接し、前記クッション材が綿からなることにある。
【０００７】
このような本発明の布団は、１層以上のクッション材が表面用生地に固定され、他の１層以上のクッション材が裏面用生地に固定されている。すなわち、表面用生地及び裏面用生地のそれぞれに、別個独立に、１層以上のクッション材が固定される。
【０００８】
なお、本発明の布団において、クッション材は、内袋に入れられて布地内に固定されるのではなく、剥き出し状態で表面用生地及び裏面用生地のそれぞれに固定されている。クッション材が剥き出し状態で布団内に固定されているため、透湿性が向上させられる。また、クッション材が周囲の空気に直接的に接触させられることによって、乾燥作業が効率的に行われる。
【０００９】
また、本発明に係る布団の要旨とするところは、前記布団において、少なくとも、前記表面用生地に固定されたクッション材と、前記裏面用生地に固定されたクッション材との間に、分け目が形成されることにある。
【００１０】
このような本発明の布団は、表面用生地及び裏面用生地のそれぞれに、別個独立に、１層以上のクッション材が固定されることにより、表面用生地に固定されたクッション材と、裏面用生地に固定されたクッション材との間に、結果的に、分け目が形成されている。
【００１１】
また、本発明に係る布団の要旨とするところは、前記布団において、前記表面用生地と前記裏面用生地とが襠を介して接続され、該襠によって側面が形成されたことにある。
【００１２】
このような本発明の布団は、表面用生地及び裏面用生地のそれぞれに、別個独立に、１層以上のクッション材が固定される布団において、端部が先へいくに従って薄くなるのではなく、襠によって側面が形成されている。
【００１３】
また、本発明に係る布団の要旨とするところは、前記布団において、前記布地の周辺の所定位置に開閉具を備えたことにある。
【００１４】
このような本発明の布団は、布団内のクッション材を乾燥させる場合等には、開閉具が開かれ、表面用生地に固定されたクッション材と、裏面用生地に固定されたクッション材とが離隔させられ、又は、開閉具の開口部に全体を入れて折り返すことによって、クッション材が空気に直接的に接触させられて乾燥させられる。
【００１５】
次に、本発明に係る布団の製造方法の要旨とするところは、前記布団の製造方法であって、表面用生地の一方の面及び裏面用生地の一方の面に、各々少なくとも１層以上の前記クッション材を固定し、該表面用生地の他方の面と該裏面用生地の他方の面とを合わせ、外周に沿って縫合し、所定位置に設けられた開口部内へ布地全体を入れて折り返して形成することにある。
【００１６】
このような本発明の布団の製造方法は、表面用生地及び裏面用生地のそれぞれに、別個独立に、１層以上の前記クッション材を固定する方法である。
【００１７】
また、本発明に係る布団の製造方法の要旨とするところは、前記布団の製造方法において、前記表面用生地及び前記裏面用生地を一体に形成しておき、該表面用生地と該裏面用生地との境界部付近で折ることにより、該表面用生地の他方の綿と該裏面用生地の他方の面とを合わせることにある。
【００１８】
このような本発明の布団の製造方法は、少なくとも表面用生地及び裏面用生地を一体に形成しておいた後、表面用生地及び裏面用生地のそれぞれに、別個独立に、１層以上の前記クッション材を固定する方法である。ここに、一体に形成しておいた後とは、表面用生地及び裏面用生地を予め接合した後、及び、表面用生地及び裏面用生地を一枚の布から形成した後をいう。
【００１９】
また、本発明に係る布団の製造方法の要旨とするところは、前記布団の製造方法において、前記表面用生地と裏面用生地との境界部、及び、該表面用生地又は該裏面用生地の周囲に襠を設けておき、該襠によって布団の側面を形成することにある。
【００２０】
このような本発明の布団の製造方法は、表面用生地、裏面用生地及び襠を一体に形成しておいた後、表面用生地及び裏面用生地のそれぞれに、別個独立に、１層以上の前記クッション材を固定し、襠が布団の側面を形成するように布団を製造する方法である。
【００２１】
また、本発明に係る布団の製造方法の要旨とするところは、前記布団の製造方法において、前記開口部に開閉具を取り付けることにある。
【００２２】
このような本発明の布団の製造方法は、開口部に開閉具を取り付けておき、表面用生地及び裏面用生地のそれぞれに、１層以上の前記クッション材を固定し、開閉具の開口部に全体を入れて折り返した後、開閉具を閉じることにより布団を製造する方法である。
【００２３】
【発明の実施の形態】
次に、本発明に係る布団及び布団の製造方法の実施の形態について、図面に基づいて説明する。
【００２４】
図１及び図２において、符号１０は本発明に係る布団である。この布団１０は、表面用生地１２、裏面用生地１４及び襠１６から成る包袋状の布地１８と、布地１８に包含された綿（クッション材）２０とから構成される布団であり、綿２０が８層に形成され、４層の綿２０が表面用生地１２に固定され、他の４層の綿２０が裏面用生地１４に固定されている。
【００２５】
また、布団１０は、表面用生地１２に固定された綿２０と、裏面用生地１４に固定された綿２０との間に、分け目２２が形成されている。表面用生地１２と裏面用生地１４とが襠１６を介して接続され、襠１６によって側面が形成されている。また、布団１０の外周辺の側面に沿ってファスナー（開閉具）２４を備えている。
【００２６】
このような布団１０の製造方法について説明すると、まず、図３に示すように、表面用生地１２、裏面用生地１４、襠１６ａ及び襠１６ｂが一体に縫合されて、布地１８が形成される。なお、襠１６ｂは裏面用生地１４の周辺３方に渡って接合される。ここで、裏面用生地１４の周囲には、二枚の襠１６ａ及び襠１６ｂが形成されることとなり、表面用生地１２と裏面用生地１４とは一の襠１６ａを介して連続することとなる。
【００２７】
なお、布地１８の布地の材質は、綿、絹、ポリエステル、レーヨン等、又はこれらの組合せ等、特に限定されない。また、表面用生地１２と裏面用生地１４との間の襠１６ａには、境界線２６に沿うようにして、開口部が開けられ、その開口部にはファスナー２４が取り付けられている。
【００２８】
次に、図４に示すように、表面用生地１２の一方の面及び裏面用生地１４の一方の面に、各々４層の綿２０がキルト２８及び３０によって、分離独立して固定される。ここで、綿２０の材質は、ニードル加工したもの、又は綿をそのまま使用したもの等、特に限定されない。また、キルト２８及び３０の軌跡も特に限定されず、キルト２８とキルト３０とで軌跡を変えても良い。また、キルト２８及び３０を施すミシンの機構は、キルティングミシン、コンフォーターミシン等、特に限定されない。また、ミシンの制御手段も、ＮＣ制御装置等、特に限定されない。さらに、キルト２８及び３０を施す方法は、特にミシンに限定されるわけではない。
【００２９】
このようにして綿２０が布地１８に固定されると、表面用生地１２と裏面用生地１４との間の襠１６ａで折られ、表面用生地１２の他方の面と裏面用生地１４の他方の面とが向かい合わせられる。表面用生地１２の他方の面と裏面用生地１４の他方の面とが向かい合わせられた状態で、襠１６ｂが表面用生地１２の周辺３方と縫合させられるとともに、襠１６ｂの端部が襠１６ａの端部と縫合させられ、図５に示すように、外面に綿２０が固定された包袋形状となる。
【００３０】
次に、ファスナー２４が開かれ、その開口部内へ布地１８全体が入れられて、布地１８が折り返され、内面に綿２０が固定された包袋形状となる。次に、この包袋形状の布地１８のファスナー２４が閉められ、図１及び図２に示す布団１０が形成される。
【００３１】
ここで、表面用生地１２の一方の面及び裏面用生地１４の一方の面に、各々４層の綿２０が分離独立して固定されるため、表面用生地１２に固定された４層の綿２０と、裏面用生地１４に固定された４層の綿２０との間に、分け目２２が形成される。なお、現実には、表面用生地１２に固定された４層の綿２０と、裏面用生地１４に固定された４層の綿２０とは、表面用生地１２の質量等によって接触することとなるが、密着することはなく、分け目２２にある程度の空気層が形成される。
【００３２】
このようにして形成された布団１０は、表面用生地１２及び裏面用生地１４の各々に、４層の綿２０が固定された状態となる。また、結果的に、表面用生地１２に固定された綿２０と、裏面用生地１４に固定された綿２０との間に、分け目２２が形成される。また、襠１６ａ及び１６ｂによって、側面を形成する状態となる。
【００３３】
このような布団１０は、湿気を除去するために乾燥させる場合には、フアスナー２４が開けられた状態で、又は、フアスナー２４が開けられるとともに、表面用生地１２に固定された綿２０と、裏面用生地１４に固定された綿２０とが離隔させられ、分け目２２が広げられた状態で行われることにより、効率的に乾燥させられる。
【００３４】
このような本発明の布団１０によれば、表面用生地１２及び裏面用生地１４の各々に綿２０が固定されているため、綿の引っ張りや不均一性が無く、綿２０の固定状態が安定する。また、表面用生地１２及び裏面用生地１４の各々に固定された綿２０が分離しているため、使用に際して、綿２０同志を摺動させるようにして、容易に折り曲げることができる。
【００３５】
また、本発明の布団１０によれば、表面用生地１２に固定された綿２０と、裏面用生地１４に固定された綿２０との間に、分け目２２が形成されるため、冬季に使用する場合には、分け目２２内の空気層によって保温性を高めることができる。また、夏期に使用する場合には、分け目２２の空気層によって透湿性を向上させ、湿気除去を行うことができる。
【００３６】
また、布団１０内の綿２０を、分け目２２から表面用生地１２側と裏面用生地１４側へ、４層ずつに離隔させることができるため、分け目２２内へ防湿マット等を挿入することもできる。また、分け目２２が密閉しないように、分け目２２に挟持部材等を挿入して４層ずつを離隔させ、分け目２２に積極的に空気層を形成することもできる。
【００３７】
また、本発明の布団１０によれば、襠１６ａ及び１６ｂによって、側面を形成することができるため、綿２０を布地１８の端部まで行き渡らせることができる。このため、布地１８の端部まで厚みを有するため、布地１８の端部まで保温性を高めることができ、掛け布団として使用した場合には、布団１０を身体に掛けた時に、肩等が冷えるのを防止することができる。また、襠１６ａ及び１６ｂを備えることにより、ヘムを施す必要がなくなる。
【００３８】
また、本発明の布団１０によれば、ファスナー２４を開き、中の綿２０を、分け目２２から表面用生地１２側と裏面用生地１４側へ、４層ずつ離隔させることができる。このため、乾燥させる必要のある時には、ファスナー２４を開けて、綿２０を空気に直接的に接触させることにより、容易かつ迅速に干すことができる。特に、乳幼児や身体不自由者用として使用した場合には、容易かつ迅速に干すことができるため、顕著な効果を奏することができる。
【００３９】
つぎ、本発明の布団１０の製造方法によれば、表面用生地１２及び裏面用生地１４の各々に綿２０を固定するため、製品の品質管理を容易に行うことができる。また、表面用生地１２及び裏面用生地１４において、表裏独立したキルトを施すことができ、布団１０の模様を多様化させることができる。
【００４０】
また、本発明の布団１０の製造方法によれば、表面用生地１２の他方の面と裏面用生地１４の他方の面とを合わせ、外周の三方に沿って縫合した後、開口部内へ布地全体を入れて折り返すため、外周の縫合の縫い目が内側に隠すことができる。このため、外から縫合の縫い目が見えることがなく、布団１０の外観上も好ましい。
【００４１】
また、本発明の布団１０の製造方法によれば、表面用生地１２及び裏面用生地１４が一体である布地１８から製造するため、表面用生地１２及び裏面用生地１４へ、ミシンによって一度にキルト２８及び３０を施すことができる。このため、迅速かつ容易にキルト２８及び３０を施すことができる。
【００４２】
また、本発明の布団１０の製造方法によれば、襠１６によって布団１０の側面を形成するため、表面用生地１２の他方の面と裏面用生地１４の他方の面とを合わせ、外周の三方に沿って縫合した後、開口部内へ布地全体を入れて折り返した時に、綿２０を容易に端部まで行き渡らせることができる。
【００４３】
また、本発明の布団１０の製造方法によれば、襠１６によって布団１０の側面を形成するため、表面用生地１２の他方の面と裏面用生地１４の他方の面とを合わせ、外周の三方に沿って縫合した後、ファスナー２４の開口部内へ布地全体を入れて折り返した後、ファスナー２４を閉じることにより、布団１０を製造することができる。このため、折り返した後に開口部を縫合して閉じる必要がなく、製造作業の迅速化及び容易化を図ることができる。
【００４４】
以上、本発明の一実施の形態について説明したが、本発明に係る布団及びその製造方法はその他の態様でも実施し得るものである。
【００４５】
例えば、本発明に係る布団は、図６に示すような布団４０であっても良い。この布団４０は、綿２０が６層に形成され、外側の１層の綿２０が表面用生地１２にキルト４２によって固定され、外側の他の１層の綿２０が裏面用生地１４にキルト４４によって固定されている。一方、内側の２層の綿２０は、マジックテープ４６によって外側の１層の綿２０に固定され、内側の他の２層の綿２０は、マジックテープ４６によって外側の他の１層の綿２０に固定されている。
【００４６】
このような布団４０によれば、ファスナー２４を開け、内側の４層の綿２０をマジックテープ４６の作用により、容易に剥離することができる。このため、内側の４層の綿２０を取り外して、乾燥、交換又は洗浄等を容易に行うことができる。
【００４７】
以上、本発明の実施形態について、図面に基づいて説明したが、本発明の実施形態は図示したものには限定されない。
【００４８】
例えば、本発明の布団は、主として敷き布団であるが、掛け布団であっても良い。また、本発明の布団は、寝るための布団に限定されず、座るための座布団、クッション等であっても良い。また、本発明の布団の製造方法をぬいぐるみの製造のために使用しても良い。また、本発明の布団を使用する者は、子供、身体不自由者、大人等、特に限定されない。
【００４９】
また、本発明の布団において、綿の層の数は、上述のような４層を２対にした合計８層のもの、３層を２対にした合計６層のものに限定されず、２層を２対にした合計４層のもの等であっても良い。また、全体の寸法、綿の厚さ等も特に限定されない。また、本発明の布団において、ボタンやホック等の開閉具をファスナーの代替として用いても良い。
【００５０】
その他、本発明の技術的範囲には、その趣旨を逸脱しない範囲内で、当業者の知識に基づき種々なる改良、修正、変形を加えたものも含む。
【００５１】
【発明の効果】
本発明の布団によれば、表面用生地及び裏面用生地の各々にクッション材を別個に固定しているため、クッション材の引っ張りや不均一性が無く、クッション材の固定状態を安定化させることができる。また、表面用生地及び裏面用生地の各々に固定されたクッション材が分離しているため、使用に際して容易に折り曲げることができる。
【００５２】
また、少なくとも、表面用生地に固定されたクッション材と、裏面用生地に固定されたクッション材との間に、分け目が形成されることを特徴とする本発明の布団によれば、主として冬季に使用する場合には、分け目内の空気層によって保温性を高めることができる。また、主として夏期に使用する場合には、分け目の空気層によって透湿性を向上させ、湿気除去を行うことができる。また、布団内のクッション材を、分け目から表面用生地側と裏面用生地側へ離隔させることができるため、分け目内へ防湿マット等を挿入することにより、防湿性をより高めることができる。
【００５３】
また、表面用生地と裏面用生地とが襠を介して接続され、襠によって側面が形成されたことを特徴とする本発明の布団によれば、襠によって側面を形成することができるため、クッション材を布地の端部まで行き渡らせることができる。このため、布地の端部まで厚みを有するため、布地の端部まで保温性を高めることができ、掛け布団として使用した場合には、布団を身体に掛けた時に、肩等が冷えるのを防止することができる。特に、子供や病人用の布団として好ましい。また、襠を備えることにより、ヘムを施す必要がなくなる。
【００５４】
前記布地の周辺の所定位置に開閉具を備えたことを特徴とする本発明の布団によれば、開閉具を開き、中のクッション材を、表面用生地側と裏面用生地側へ離隔させることができる。このため、乾燥させる必要のある時には、開閉具を開けて、クッション材を空気に直接的に接触させることにより、容易かつ迅速に干すことができる。特に、乳幼児や身体不自由者用として使用した場合には、容易かつ迅速に干すことができるため、顕著な効果を奏することができる。
【００５５】
次に、本発明に係る布団の製造方法によれば、表面用生地及び裏面用生地の各々にクッション材を分離独立して固定するため、製品の品質管理を容易に行うことができる。また、表面用生地及び裏面用生地において、表裏独立したキルトを施すことができ、布団の模様を多様化させることができる。このため、布団の美観的価値を向上させることができる。
【００５６】
また、本発明の布団の製造方法によれば、表面用生地の他方の面と裏面用生地の他方の面とを合わせ、外周の三方に沿って縫合した後、開口部内へ布地全体を入れて折り返すため、外周の縫合の縫い目が内側に隠すことができる。このため、外から縫合の縫い目が見えることがなく、布団の外観上、好ましい。
【００５７】
表面用生地及び裏面用生地を一体に形成しておき、表面用生地と裏面用生地との境界部付近で折ることにより、表面用生地の他方の綿と裏面用生地の他方の面とを合わせることを特徴とする本発明の布団の製造方法によれば、表面用生地及び裏面用生地が一体である布地から製造するため、表面用生地及び裏面用生地にミシンによって一度にキルトを施すことができる。このため、迅速かつ容易にキルトを施すことができる。
【００５８】
また、表面用生地と裏面用生地との境界部、及び、表面用生地又は裏面用生地の周囲に襠を設けておき、襠によって布団の側面を形成することを特徴とする本発明の布団の製造方法によれば、襠によって布団の側面を形成できるため、表面用生地の他方の面と裏面用生地の他方の面とを合わせ、外周の三方に沿って縫合した後、開口部内へ布地全体を入れて折り返した時に、クッション材を容易に端部まで行き渡らせることができる。このため、側面を有する布団を容易に製造することができる。
【００５９】
また、開口部に開閉具を取り付けることを特徴とする本発明の布団の製造方法によれば、表面用生地の他方の面と裏面用生地の他方の面とを合わせ、外周の三方に沿って縫合した後、開閉具の開口部内へ布地全体を入れて折り返した後、開閉具を閉じることにより、布団を製造することができる。このため、折り返した後に開口部を縫合して閉じる必要がなく、製造作業の迅速化及び容易化を図ることができる。
【図面の簡単な説明】
【図１】本発明に係る布団の一の実施形態を示す断面図である。
【図２】図１の布団を示す斜視図である。
【図３】図１に示す布団の製造方法を説明するための斜視図である。
【図４】図１に示す布団の製造方法を説明するための展開図である。
【図５】図１に示す布団の製造方法を説明するための側面図である。
【図６】本発明に係る布団の他の実施形態を示す断面図である。
【図７】従来の布団を示す断面図である。
【図８】従来の布団を示す断面図である。
【符号の説明】
１０，４０；布団
１２；表面用生地
１４；裏面用生地
１６ａ，１６ｂ；襠
１８；布地
２０；綿（クッション材）
２２；分け目
２４；ファスナー（開閉具）
２８，３０，４２，４４；キルト
【図１】
0004126676.tif 000002
【図２】
0004126676.tif 000003
【図３】
0004126676.tif 000004
【図４】
0004126676.tif 000005
【図５】
0004126676.tif 000006
【図６】
0004126676.tif 000007
【図７】
0004126676.tif 000008
【図８】
0004126676.tif 000009